(57)【要約】    【課題】  submit_Data()を通じてメタデータサーバまたはサービスエージェントに伝送されたユーザ情報を削除するための方法を提供することにより、ユーザに自身の情報に対する最小限の統制権を持たせることにある。    【解決手段】  ＴＶ−Ａｎｙｔｉｍｅメタデータサーバにおいて管理するユーザメタデータを、ＳＯＡＰオペレーションによって削除する方法であって、（ａ）エレメントがユーザ識別情報を指定するための第１サブエレメントを含むＳＯＡＰ削除オペレーションを提供するステップと、（ｂ）ユーザのクライアントからユーザ識別情報が指定されたＳＯＡＰ削除オペレーションのエレメントを受信するステップと、（ｃ）前記受信されたＳＯＡＰ削除オペレーションエレメントのユーザ識別情報からユーザを識別し、前記識別されたユーザのユーザメタデータを削除するステップとを含む方法を提供する。【選択図】    図６
2006107471.tif 000002
【特許請求の範囲】
【請求項１】
ＴＶ−Ａｎｙｔｉｍｅメタデータサーバにおいて、管理するユーザメタデータを、シンプル・オブジェクト・アクセス・プロトコル（以下、「ＳＯＡＰ」という）オペレーションによって削除する方法であって、
（ａ）ＳＯＡＰ削除オペレーションのエレメント類型を提供するステップであって、前記ＳＯＡＰ削除オペレーションのエレメントは、少なくともユーザ識別情報を指定するための第１サブエレメントを含むものである、ＳＯＡＰ削除オペレーションの提供ステップと、
（ｂ）ユーザのクライアントからユーザ識別情報が指定されたＳＯＡＰ削除オペレーションのエレメントを受信するステップと、
（ｃ）前記受信されたＳＯＡＰ削除オペレーションエレメントのユーザ識別情報からユーザを識別し、前記識別されたユーザのユーザメタデータを削除するステップと、を含むことを特徴とする、ＳＯＡＰオペレーションによるユーザメタデータ削除方法。
【請求項２】
（ｄ）前記ステップ（ｃ）の削除結果を、前記クライアントに伝送するステップをさらに含むことを特徴とする、請求項１記載のＳＯＡＰオペレーションによるユーザメタデータ削除方法。
【請求項３】
前記ステップ（ｄ）において、クライアントに伝送される削除の結果は、成功、エラー（ｅｒｒｏｒ）、削除対象なしを表示する値のうち一つが選択されることを特徴とする請求項２記載のＳＯＡＰオペレーションによるユーザメタデータ削除方法。
【請求項４】
前記ステップ（ａ）において定義されるＳＯＡＰ削除オペレーションのエレメントは、削除条件を指定するための第２サブエレメントをさらに含み、
前記ステップ（ｃ）は、前記受信されたＳＯＡＰ削除オペレーションエレメントの第２サブエレメントに指定された削除条件に適うユーザ情報を削除することを特徴とする、請求項１記載のＳＯＡＰオペレーションによるユーザメタデータ削除方法。
【請求項５】
前記ステップ（ａ）において定義されるＳＯＡＰ削除オペレーションのエレメントは、日付（dateFrom）を指定するための第３サブエレメントをさらに含み、
前記ステップ（ｃ）は、前記受信されたＳＯＡＰ削除オペレーションエレメントの第３サブエレメントに指定された日付以降に伝送されたユーザ情報を削除することを特徴とする、請求項１記載のＳＯＡＰオペレーションによるユーザメタデータ削除方法。
【請求項６】
前記ステップ（ａ）において定義されるＳＯＡＰ削除オペレーションのエレメントは、日付（dateTo）を指定するための第４サブエレメントをさらに含み、
前記ステップ（ｃ）は、前記受信されたＳＯＡＰ削除オペレーションエレメントの第４サブエレメントに指定された日付以前に伝送されたユーザ情報を削除することを特徴とする、請求項５記載のＳＯＡＰオペレーションによるユーザメタデータ削除方法。
【請求項７】
ＴＶ−Ａｎｙｔｉｍｅメタデータサーバにおいて管理する非匿名ユーザメタデータを、ＳＯＡＰオペレーションによって削除する方法であって、
（ｅ）ＳＯＡＰ削除オペレーションを提供するステップであって、そのＳＯＡＰ削除オペレーションの要求エレメントは、削除しようとする非匿名ユーザメタデータの始点及び終点を入力するエレメントと、削除対象であるテーブルを入力する対象テーブルエレメントとを含み、応答エレメントは、メタデータ機能記述のバージョン情報（Ｓｅｒｖｉｃｅ  Ｖｅｒｓｉｏｎ）及び受信結果を含むものであるＳＯＡＰ削除オペレーションの提供ステップと、
（ｆ）クライアントが、削除しようとする非匿名ユーザメタデータの始点、終点、及び削除対象テーブルを、前記要求エレメントに入力し、それを前記サーバに伝送するステップと、
（ｇ）前記サーバが、前記要求エレメントの受信に応じて、前記削除対象テーブルから始点及び終点間の非匿名ユーザメタデータを削除し、その結果及びバージョン情報を前記応答エレメントに入力し、前記クライアントに伝送するステップと、を含むことを特徴とする、ＳＯＡＰオペレーションによる非匿名ユーザメタデータ削除方法。
【請求項８】
前記（ｅ）ステップは、前記削除対象テーブルを、拡張ユーザ記述類型（Extended User Description Type）の最上位レベルと次上位レベルに限定することを特徴とする、請求項７記載のＳＯＡＰオペレーションによる非匿名ユーザメタデータ削除方法。
【請求項９】
前記ステップ（ｅ）において提供されるＳＯＡＰ削除オペレーションの要請エレメント及び応答エレメントは、次のように定義されることを特徴とする、請求項７記載のＳＯＡＰオペレーションによる非匿名ユーザメタデータ削除方法。
<element name=“clear_Personal_Data”type=“tns:clear_Personal_DataType”/>
<complexType name=“clear_Personal_DataType”>
<sequence>
<element name=“TimeFrom”type=“tva:TVATimeType” minOccurs=“0”/>
<element name=“TimeTo” type=“tva:TVATimeType” minOccurs=“0”/>
<element name=“TargetTable”type=“tns:clear_TableType”minOccurs=“0”maxOccurs=“unbounded”/>
</sequence>
</complexType>
<simpleType name=“clear_TableType”>
<restriction base=“string”>
<enumeration value=“All”/>
<enumeration value=“UserInformationTable”/>
<enumeration value=“UsageEnvironment”/>
<enumeration value=“BioGraphicInformation”/>
<enumeration value=“AccessibilityInformation”/>
<enumeration value=“TerminalInformationTable”/>
<enumeration value=“NetworkInformationTable”/>
<enumeration value=“NaturalEnvironmentInformationTable”/>
</restriction>
</simpleType>
<element name=“clear_Personal_Data_Result”
type=“tns:clear_Personal_Data_Result”/>
<complexType name=“clear_Personal_Data_Result”>
<attribute name=“serviceVersion”type=“unsignedInt” use=“required”/>
<attribute name=“status” use=“required”>
<simpleType>
<restriction base=“string”>
<enumeration value=“success”/>
<enumeration value=“failed”/>
<enumeration value=“no data”/>
</restriction>
</simpleType>
</attribute>
</complexType>
【発明の詳細な説明】
【技術分野】
【０００１】
本発明は、ＴＶ−Ａｎｙｔｉｍｅサービスに関するものであって、特に、ＳＯＡＰオペレーションを用いて個人化ＴＶ−Ａｎｙｔｉｍｅメタデータサービスを提供するための方法に関するものである。
【背景技術】
【０００２】
最近、デジタル放送サービスの本格化にしたがって、多チャンネル・多媒体環境において、注文型放送サービスを提供するための技術に関する研究が盛んに進められている。一例として、民間国際標準であるＴＶ−Ａｎｙｔｉｍｅは、コンテンツの記述（description）情報を表現するメタデータに基づいて、ユーザが自身の嗜好（preference）情報と前記メタデータとをマッチングすることにより、所望するコンテンツを格納して、自由な時間に視聴可能にするエニタイム（anytime）サービスを提供するための標準規格である。
【０００３】
メタデータは、上述のようにコンテンツに関する記述情報として、ＴＶ−Ａｎｙｔｉｍｅでは、ＭＰＥＧ−７で規定された内容に基づく（content-based）記述及びＥＰＧ（電子プログラムガイド）情報を含み、ユーザが所望するコンテンツを容易に探索・選択可能にする。メタデータ標準は、２つのパートから構成され、パートＡは、メタデータを記述するためのフォーマット、すなわち、スキーマを定義したものであって、ＸＭＬ（eXtensible Markup Language）基盤のＭＰＥＧ−７ ＤＤＬ（Description Definition Language）（ISO/IEC 15938-2）を活用する。また、パートＢは、メタデータの伝送に関するものであって、二進フォーマット［ＭＰＥＧ−７ＢｉＭ（Binary Format for MPEG-7）］（ＩＳＯ／ＩＥＣ  １５９３８−１）、断片化（fragmentation）、カプセル化（encapsulation）、及び索引（indexing）技法を含んでいる。
【０００４】
図１は、ＴＶ−Ａｎｙｔｉｍｅメタデータの構成を示すものであって、プログラム記述メタデータ（Program Description Metadata）及びユーザ記述メタデータ（User Description Metadata）を含み、プログラム記述メタデータは、コンテンツ記述メタデータ及びインスタンス（instance）記述メタデータから構成されている。一つのプログラムに対するメタデータは、ＣＲＩＤ（Content Reference Identifier）と呼ばれるコンテンツ参照識別子で相互に連関付けられる。
【０００５】
コンテンツ記述メタデータは、コンテンツ制作者によって生成され、プログラムタイトル、ジャンル、要約、批評家レビューなどを含む。インスタンス記述メタデータは、コンテンツ・プロバイダによって生成され、ロケーション（放送時間、チャンネル、ＵＲＬなど）、使用規則（usage rule）、伝送パラメータ（delivery parameter）などを含む。最後に、ユーザ記述メタデータは、ユーザ嗜好（user preference）、使用履歴（usage history）、個人ブックマーク（personal bookmark）などを含み、ユーザによって生成される。
【０００６】
ＴＶ−Ａｎｙｔｉｍｅ標準は、リターンパスを通じた双方向メタデータサービスのために、２つの類型のメタデータウェブサービスを定義しており、これは、well-defined behaviorと入出力セットに対するリモートプロシージャ（remote procedure）である。ＸＭＬ基盤のＷＳＤＬ（Web Service Description Language，ウェブサービス記述言語）標準において、上述のリモートプロシージャは、ＳＯＡＰ（Simple Object Access Protocol）オペレーションの形態で定義されており、メタデータ検索のための‘get_Data（）’オペレーションと、ユーザ記述提出（user description submission）のための‘submit_Data’オペレーションとがある。なお、上述のＳＯＡＰプロトコルは、分散環境においてオブジェクトにアクセス可能とするＸＭＬ通信プロトコルである。
【０００７】
ＴＶ−Ａｎｙｔｉｍｅメタデータサービスにおいて用いられる要求（Request）／応答（Response）の類型は、‘urn：tva：transport：2002’のネームスペースに定義され、前記ネームスペースは、種々のメッセージに対する検証のためのツールとして提供される。メタデータ仕様とコンテンツ参照（Content referencing）標準で定義される類型（タイプ）は、伝送（transport）ネームスペースにおいて参照される。スキーマ断片（Schema fragment）は、上述のネームスペースで定義され、ネームスペース提供者は、スキーマ断片において’tns：’と定義される。完全なＸＭＬスキーマファイルは、tva_transport_types_v10.xsdである。
【０００８】
１．get_Dataオペレーション
get_Dataオペレーションは、クライアントがプログラムまたはプログラムグループに対して、ＴＶ−Ａｎｙｔｉｍｅデータをサーバから検索する機能を提供する。ＴＶ−Ａｎｙｔｉｍｅメタデータ提供者が、get_Dataオペレーションを用いて提供可能な機能を例示すると、以下のとおりである。
−ＣＲＩＤリストを用いてＣＲＩＤに対するコンテンツ参照データを返還すること。
−ＣＲＩＤリストを用いてＣＲＩＤに対するＴＶ−Ａｎｙｔｉｍｅメタデータを返還すること。
−特定のメタデータ属性（Attribute）（例えば、ジャンル、俳優など）に対する問合せを受信し、これに該当するプログラムを返還すること。
−特定の時間または特定のチャンネルに対する問合せに応答し、当該プログラムを返還すること。
【０００９】
get_Dataオペレーションの動作と関連して図２を参照すると、ＴＶ−Ａｎｙｔｉｍｅサービスにおいてクライアントは、インターネット網（IP Network）を通じて、get_DataオペレーションによるＳＯＡＰ要求メッセージ［get_Data() Request］をメタデータサービスサーバ（Metadata Service Server）に伝送する。このとき、get_Dataオペレーションは、原則として全ての問合せ類型を支援し、メタデータ制限条件に対して広範囲な問合せを提供する。続いて、メタデータサービスサーバは、ＳＯＡＰ応答メッセージ［get_Data() Request］によって、前記ＳＯＡＰ要求メッセージに対する問合せ結果値（すなわち検索結果）を返還する。
【００１０】
イ．要求フォーマット（Request Format）
図３に示すように、get_Dataオペレーションにおいて、要求フォーマットは、クライアントに３つの類型のパラメータを指定し、問合せ（検索）結果値として返還されるエレメント類型を要求テーブル（Requested Tables）類型に指定する。
【００１１】
図４は、問合せの結果、返還される要求テーブル類型を、ClassificationSchemeTable、ProgramInformationTable、GroupInformationTable、CreditsInformationTable、ProgramLocationTable、ServiceInformationTable、ProgramReviewTable、SegmentInformationTableなどと指定した例である。
【００１２】
ロ．応答フォーマット（Response Format）
get_Dataオペレーションの応答フォーマットは、図５に示すように、エレメント（TVAMain、ContentReferencingTable、InvalidFragments）に対して、０または１つ以上のＸＭＬインスタンスドキュメントを含み、要求フォーマットにおいて要請した要求テーブル類型に応じて問合せ結果値を返還する。
【００１３】
２．submit_Dataオペレーション
submit_Dataオペレーションによる伝送できるデータは、ＴＶ−ＡｎｙｔｉｍｅのＰｈａｓｅＩの技術標準では、使用（usage）サービスとコンテンツに基づいたインテリジェントエージェントまたは手動書込によって生成される匿名のプロファイルデータのセットで定義されたデータに制限している。ＴＶ−Ａｎｙｔｉｍｅフォーラムは、全てのユーザと提供者の基本権利を尊重して含み、これはコンテンツユーザのプライバシー基本権利と、コンテンツ制作者、プロバイダ、サービス提供者等のような全ての参加者の適法な権利とを含んでいる。
【００１４】
３．ユーザ情報を用いたget_Dataオペレーション
現在、ＴＶ−Ａｎｙｔｉｍｅでは、submit_Dataを通じて伝送されたユーザメタデータに基づいて、サービスエージェントでは、エージェント毎に特殊なアルゴリズムを通じてget_Dataオペレーションを行い、当該結果をユーザに伝送する。
【００１５】
このようにサービスエージェントに提供されるユーザ情報は、サービス提供者の方策に応じて用いられるが、例えば、特定期間収集されたユーザ情報を用いたり、または全体のユーザ情報を用いることができる。ユーザ情報をサービスエージェントの方策によって用いる場合、ユーザにさらなる利便性を提供するという利点があるが、ユーザがサービスエージェントのサービスを必要としない場合、すなわち、既に累積された個人情報に基づくサービスエージェントのサービス結果が適合しない場合、ユーザが自身のユーザ情報を削除するための方法は、いままで提供されていない。
【００１６】
さらに、ユーザメタデータの処理方法が全面的にサービス提供者のアルゴリズムに依存するため、ユーザは、自身の情報が用いられる方法などについて、全く関与することができず、これによって、ユーザが双方向メタデータサービスの利用をためらうこともありえる。
【発明の開示】
【発明が解決しようとする課題】
【００１７】
本発明は、以上のような問題点を解決するために、submit_Data()を通じて、メタデータサーバまたはサービスエージェントへ伝送されたユーザ情報を削除するための方法を提供することにより、ユーザが自身の情報に対する最小限の統制権を持つことができるようにすることを課題とする。
【課題を解決するための手段】
【００１８】
本発明の一側面によると、ＴＶ−Ａｎｙｔｉｍｅメタデータサーバで管理するユーザメタデータを、ＳＯＡＰオペレーションによって削除する方法が提供され、（ａ）ＳＯＡＰ削除オペレーションのエレメント類型（Type）を提供するステップであって、前記ＳＯＡＰ削除オペレーションのエレメントは、少なくともユーザ識別情報を指定するための第１サブエレメントを含む、ＳＯＡＰ削除オペレーションの提供ステップと、（ｂ）ユーザのクライアントからユーザ識別情報が指定されたＳＯＡＰ削除オペレーションのエレメントを受信するステップと、（ｃ）前記受信されたＳＯＡＰ削除オペレーションエレメントのユーザ識別情報からユーザを識別し、前記識別されたユーザのユーザメタデータを削除するステップとを含む。
【００１９】
この時、前記ステップ（ｃ）の削除結果を前記クライアントに伝送するステップをさらに含むことができる。また、前記ステップ（ａ）において定義されるＳＯＡＰ削除オペレーションのエレメントは、削除条件を指定するための第２サブエレメントをさらに含み、前記ステップ（ｃ）は、前記受信されたＳＯＡＰ削除オペレーションのエレメントの第２サブエレメントに指定された削除条件に適合するユーザ情報を削除するよう構成される。 
本発明の他の側面によると、ＴＶ−Ａｎｙｔｉｍｅメタデータサーバにおいて管理する非匿名ユーザメタデータを、ＳＯＡＰオペレーションによって削除する方法が提供され、（ｅ）ＳＯＡＰ削除オペレーションを提供するステップであって、そのＳＯＡＰ削除オペレーションの要求エレメントは、削除しようとする非匿名ユーザメタデータの始点及び終点を入力するエレメントと、削除の対象であるテーブルを入力する対象テーブルエレメントとを含み、応答エレメントは、メタデータ機能記述のバージョン情報及び受信の結果を含むＳＯＡＰ削除オペレーションの提供ステップと、（ｆ）クライアントが、削除しようとする非匿名ユーザメタデータの始点、終点、及び削除対象テーブルを、前記要求エレメントに入力し、これを前記サーバに伝送するステップと、（ｇ）前記サーバが前記要求エレメントの受信に応えて、前記削除対象テーブルから前記始点及び終点間の非匿名ユーザメタデータを削除し、その結果及びバージョン情報を前記応答エレメントに入力して、前記クライアントに伝送するステップとを含む。
【発明の効果】
【００２０】
本発明によると、ユーザ情報を含んでいるテーブル等を、上述の拡張ユーザ記述類型の最上位レベルと次上位レベルに限定することにより、削除オペレーションを簡単に実現することができる。
【発明を実施するための最良の形態】
【００２１】
以下、添付図面を参照しながら、本発明の好適な実施の形態について説明する。
【００２２】
図６は、本発明に係るユーザ情報を削除するために提供されるclear_Personal_Dataオペレーションの概念を示す図である。
【００２３】
図６を参照すると、clear_Personal_Data()は、双方向サーバに伝送されたユーザ情報を削除するオペレーションであり、クライアントは、clear_Personal_Data()によって削除しようとする期間及びユーザ識別情報（UserIdentifier）を含むＳＯＡＰメッセージをメタデータサーバのサービスエージェントに伝送し、インターネット網を用いることができる。この時、ユーザ情報を削除するための方策としては、i）特定の日を基準として、その日以前に伝送されたユーザ情報（ユーザメタデータ）を削除したり、またはii）伝送された全体のユーザ情報を削除することができる。続いて、前記サービスエージェントは、ユーザ情報の削除による結果（clear_Personal_Data_Result）をクライアントに伝送する。
【００２４】
図７は、本発明の第１実施形態として、clear_Personal_Dataオペレーションの要求フォーマット及び応答フォーマットを定義している。
【００２５】
図７を参照すると、clear_Personal_Data()は、大別すればdateFrom、dateTo、UserIdentifierのエレメントを有する。DateFromエレメント、dateToエレメントは、削除しようとするユーザ情報の日付を示し、UserIdentifierエレメントは、当該ユーザを識別するために用いられる。
【００２６】
より具体的には、dateFromエレメントは、削除しようとするユーザデータの開始の日付であり、dateToエレメントは、削除しようとするユーザデータの終了の日付である。例えば、２００３年３月６日から２００４年７月８日までのユーザデータを削除する場合は、dateFrom値に２００３０３０６、dateTo値に２００４０７０８値を適用することができる。dateFrom、dateToエレメントは、minOccurs=“0”、maxOccurs=“1”としておのおの設定されているので、このうちの一つの値のみを設定しても、または両方の値を全て設定しなくてもよい。若し、dateToの値のみが設定された場合は、dateTo以前の全てのユーザデータを削除し、dateFromの値のみが設定された場合は、dateFrom以降の全てのユーザデータを削除することができる。DateFrom、dateToの値が両方共設定されていない場合は、期間にかかわらず、全てのユーザデータが削除される。
【００２７】
clear_Personal_Data()の動作と関連して、図６に示すように、clear_Personal_Data()の要請によって削除作業を行った結果は、clear_Personal_Data_Result Typeを通じて伝送される。このとき、結果値は、成功（success）、システムエラー（system error）、データなし（no data）のうちから選択される。成功は、当該処理が完了したことを示し、システムエラーは、現在、システムの事情によって削除作業が遂げられていないことを示す。なお、データなしは、処理すべき結果がないことを示す。
【００２８】
図８および図９は、本発明の第２実施形態として、非匿名ユーザメタデータを削除するためのＳＯＡＰオペレーション（Clear_Personal_Data）の要求フォーマット及び応答フォーマットをおのおの図示する。
【００２９】
先ず、図８を参照すると、本発明の第２実施形態によるclear_Personal_Dataオペレーションは、上述のupload_Personal_Dataオペレーションを通じてサーバに伝送したユーザ情報をユーザが削除するためのオペレーションであって、次のような機能を選択的に提供する。
１．特定期間内に伝送された特定ユーザのユーザ情報を削除すること。
２．特定期間内に伝送された特定ユーザの選択されたテーブルのみを削除すること。
３．伝送された特定ユーザの選択されたテーブルの全ての情報を削除すること。
４．特定ユーザの全ての情報を削除すること。
【００３０】
このため、clear_Personal_Dataオペレーションの入力は、削除しようとするユーザ情報の特定期間を明示するエレメント、例えば、“TimeFrom”及び“TimeTo”を用いる。TimeFromエレメントは、削除しようとするユーザデータの始点を明示し、TimeToエレメントは、削除しようとするユーザデータの終点を明示する。また、これらのエレメントは、minOccurs=“0”としておのおの設定されているので、そのうちの一つの値のみを設定しても、両方の値を全て設定しなくてもよい。若し、TimeToの値のみが設定された場合は、TimeTo以前の全ての非匿名ユーザデータを削除し、TimeFromの値のみが設定された場合は、TimeFrom以降の全てのユーザデータを削除することができる。TimeFrom、TimeToの値が両方共設定されていない場合は、期間にかかわらず、全てのユーザデータが削除される。
【００３１】
また、clear_Personal_Dataオペレーションは、削除すべきテーブルを明示するための別途の対象テーブルエレメント（“TargetTable”）を含んでいる。上述の対象テーブルエレメント（“TargetTable”）の類型は、図示のように“clear_TableType”と定義されており、列挙されたように、ユーザ情報を含んでいるテーブルは、上述の拡張ユーザ記述類型の最上位レベルと次上位レベルに限定することにより、オペレーションを簡単に実現することができる。
【００３２】
次に、図９を参照すると、clear_Personal_Dataオペレーションの応答結果は、upload_Personal_Dataオペレーションにおいて説明したように、現在のサービスバージョンに対する情報を必ず含み、削除作業の結果（status）は、成功、失敗、データなしのうち一つを選択してユーザに通知する。
【００３３】
最後に、本発明の第３実施形態としてのclear_Personal_Dataオペレーションの変形例を示す図１０を参照すると、clear_personal_DataのTargetTableタイプは、tns:PersonalInformationTableTypeと表現されることもでき、当該TargetTableは、ＴＶ−Ａｎｙｔｉｍｅフォーラムにおいて、追加で定義しているユーザプロファイル情報であるTerminalInformationTable、NetworkInformationTable、NaturalEnvironmentInformationTableなどのデバイス関連テーブルを含むこともあり、clear_Personal_Dataオペレーションによりこれらのテーブルを削除することができる。また、UserInformationTableの下部テーブルであるUsageHistory、UserPreferenceの削除も可能である。
【００３４】
以上、本発明の好ましい実施形態について説明したが、これは例示のためのものであり、本発明の属する技術の分野における通常の知識を有する者であれば、本発明の思想を逸れない範囲内において種々の変形または修正が可能である。従って、本発明の保護範囲は、上述した実施の形態に限定されるものではなく、特許請求の範囲によって定められるものである。
【産業上の利用可能性】
【００３５】
submit_Data()を通じてメタデータサーバまたはサービスエージェントに伝送されたユーザ情報を削除するための方法を提供することにより、ユーザに自身の情報に対する最小限の統制権を持たせる方法に適用可能である。
【図面の簡単な説明】
【００３６】
【図１】ＴＶ−Ａｎｙｔｉｍｅメタデータの構成図である。
【図２】get_Dataオペレーションの一般的な動作概念図である。
【図３】従来のget_Dataオペレーションの要求フォーマットを示す図である。
【図４】従来のget_Dataオペレーションにおいて問合せの結果、返還される要求テーブル類型を指定した例示図である。
【図５】従来のget_Dataオペレーションの応答フォーマットを示す図である。
【図６】本発明によるclear_Personal_Dataオペレーションの動作概念図である。
【図７】本発明の第１実施形態としてのclear_Personal_Dataオペレーションの要求フォーマット及び応答フォーマットを示す図である。
【図８】本発明の第２実施形態として、非匿名ユーザメタデータを削除するためのＳＯＡＰオペレーション(clear_Personal_Data)の要求フォーマットを示す図である。
【図９】本発明の第２実施形態として、非匿名ユーザメタデータを削除するためのＳＯＡＰオペレーション(clear_Personal_Data)の応答フォーマットを示す図である。
【図１０】本発明の第３実施形態として、非匿名ユーザメタデータを削除するためのＳＯＡＰオペレーション(clear_Personal_Data)の要求フォーマットを示す図である。
【図１】
2006107471.tif 000003
【図２】
2006107471.tif 000004
【図３】
2006107471.tif 000005
【図４】
2006107471.tif 000006
【図５】
2006107471.tif 000007
【図６】
2006107471.tif 000008
【図７】
2006107471.tif 000009
【図８】
2006107471.tif 000010
【図９】
2006107471.tif 000011
【図１０】
2006107471.tif 000012